(57)【要約】【課題】トリガーを操縦者の指の太さに応じて簡単に交換することができるラジオコントロール送信機を提供する。【解決手段】送信機１は、被操縦体の移動速度を制御するためのトリガー２２の操作に応じた操縦信号を被操縦体に送信するものである。トリガー２２は、スロットルレバー２２ａとブレーキレバー２２ｂ１（２２ｂ２）とに分割された引き金形状からなり、スロットルレバー２２ａが筐体に回動可能に軸支され、ブレーキレバー２２ｂ１（２２ｂ２）が交換可能にスロットルレバー２２ａにネジ止め固定される。【選択図】図４
2015213658.tif 000002
【特許請求の範囲】
【請求項１】
被操縦体を制御するための操作部材の操作に応じた操縦信号を前記被操縦体に送信するラジオコントロール送信機において、
前記操作部材は、第一のレバーと第二のレバーとに分割された引き金形状のトリガーからなり、一方のレバーが筐体に回動可能に軸支され、他方のレバーが交換可能に前記一方のレバーにネジ止め固定されることを特徴とするラジオコントロール送信機。
【請求項２】
前記第一のレバーと前記第二のレバーとは、互いの一部が嵌合した状態でネジ止め固定されることを特徴とする請求項１に記載のラジオコントロール送信機。
【請求項３】
前記筐体には、交換可能なレバーの当接位置を調整する調整部材が設けられることを特徴とする請求項１または２に記載のラジオコントロール送信機。
【発明の詳細な説明】
【技術分野】
【０００１】
本発明は、例えば各種模型体（自動車、オートバイ、航空機、船舶など）や、クレーンなどの産業機械を被操縦体とし、無線通信により被操縦体を遠隔操作するラジオコントロール送信機に関し、特に、被操縦体の移動速度を制御するトリガーを備えたラジオコントロール送信機に関するものである。
【背景技術】
【０００２】
例えば各種模型体（自動車、オートバイ、航空機、船舶など）や、クレーンなどの産業機械を被操縦体とし、無線通信により被操縦体を遠隔操作するラジオコントロール送信機には、操縦される被操縦体の種類に応じて様々な形状のものが存在する。
【０００３】
この種のラジオコントロール送信機は、その形状の違いから、スティックタイプとトリガータイプに大別される。スティックタイプのラジオコントロール送信機は、上下方向と左右方向に操作される２本のスティックを筐体の左右に並べて設け、模型自動車、模型飛行機、模型ヘリコプタ、模型船、産業機械などの被操縦体の操作に使用される。また、トリガータイプのラジオコントロール送信機は、エンジン又はモーターのスロットルを操作するトリガーと被操縦体のステアリングを制御するホイールとを備え、主に模型自動車の操作に使用される。
【０００４】
ところで、操縦者は、トリガータイプのラジオコントロール送信機を用いて被操縦体を遠隔操作する場合、一方の手でグリップ部を握ってラジオコントロール送信機の全体を支え、その手の人指し指でトリガーの操作が行われるとともに、他方の手でホイールの操作が行われる。
【０００５】
このように、トリガータイプのラジオコントロール送信機では、グリップ部を握った手の人指し指をトリガーにかけて操作が行われるので、トリガーの操作をしやすくするためには、操縦者の手の大きさに合わせてトリガーを交換する必要があった。
【０００６】
しかしながら、従来のトリガータイプのラジオコントロール送信機では、トリガーの交換を行う場合、送信機の筐体を９割方ばらして分解する必要があり、トリガーの交換作業が大がかりとなってしまい、交換および組立の作業時間も要するという問題があった。
【０００７】
この問題を解消するため、トリガーの位置を調整できるようにしたラジオコントロール送信機が下記特許文献１に開示されている。特許文献１に開示されるラジオコントロール送信機は、操作部として機能するスロットルトリガが回動自在に取り付けられたトリガユニットを備え、トリガユニットの本体における取付位置がスライド可能に構成されている。そして、スロットルトリガの位置を変える場合には、本体に対してトリガユニットをスライドさせ、スロットルトリガの取付位置を調整する。これにより、操縦者の手の大きさに応じてスロットルトリガの位置を無段階で調整することができる。
【０００８】
また、上述したスライド機構以外の構成として、トリガーの位置と角度の調整が行える回転ピボットを用いたトリガータイプのラジオコントロール送信機も知られている。回転ピボットは、ブレーキレバーの基端部の球状部分を上下２箇所でスロットルレバーにビス止めし、ブレーキレバーをスロットルレバーに対して回転自在に取り付けたものである。この回転ピボットでは、スロットルレバーに固定されるブレーキレバーの球状部分の上下２箇所のビスを緩め、ブレーキレバーを任意の位置に調節した後、上下２箇所のビスを再び締め込んで固定する。これにより、操縦者の指の太さに応じてブレーキレバーを任意の位置に調整することができる。
【先行技術文献】
【特許文献】
【０００９】
【特許文献１】特開２００１−６２１６０号公報
【発明の概要】
【発明が解決しようとする課題】
【００１０】
しかしながら、上述した特許文献１に開示されるスライド機構は、操縦者が手の大きさに合わせてトリガユニットをスライド移動させ、グリップ部を握ったときの手の指がスロットルトリガにかかりやすくなるようにトリガユニットの本体における取付位置を調整する構成なので、スロットルトリガにかかる指の太さに応じた調整を行うためには本体を分解してトリガユニットごと交換しなければならず、その作業が面倒であり、労力と手間を要するという問題があった。しかも、特許文献１のスライド機構は、本体に対してスライド移動可能なトリガユニットにスロットルトリガが取り付けられた構成なので、スロットルトリガの固定が不安定であり、被操縦体の操作中にスロットルトリガが不用意に動いてしまうことがあった。
【００１１】
また、回転ピボットは、ブレーキレバーがスロットルレバーに対して球状部分の上下２箇所のみで挟み込むようにビス止めされた構成なので、スロットルレバーに対するブレーキレバーの固定が不安定であり、被操縦体の遠隔操作中にビスの緩みによってブレーキレバーが動いて位置ずれを起こす恐れがあった。また、温度や経年変化、強い衝撃などによってもビスが緩んでしまうことがある。このため、ビスを接着剤などを用いてしっかり固定する必要があった。しかし、スロットルレバーに対するブレーキレバーの固定のために接着剤などを用いると、操縦者の指の太さに応じた大きさのトリガーの交換に容易に対応することができないという問題が生じる。
【００１２】
このように、上述した特許文献１を含め、従来のラジオコントロール送信機では、操縦者の指の太さに応じた大小のトリガーの交換が簡単に行えず、操縦者も自分なりにスポンジやパテなどを張り付けたり、逆にトリガーを削ったりして好みのトリガーの大きさに調節する必要があり、労力と手間を要していた。
【００１３】
そこで、本発明は上記問題点に鑑みてなされたものであり、トリガーを操縦者の指の太さに応じて簡単に交換することができるラジオコントロール送信機を提供することを目的とするものである。
【課題を解決するための手段】
【００１４】
上記した目的を達成するために、請求項１に記載されたラジオコントロール送信機は、被操縦体を制御するための操作部材の操作に応じた操縦信号を前記被操縦体に送信するラジオコントロール送信機において、
前記操作部材は、第一のレバーと第二のレバーとに分割された引き金形状のトリガーからなり、一方のレバーが筐体に回動可能に軸支され、他方のレバーが交換可能に前記一方のレバーにネジ止め固定されることを特徴とする。
【００１５】
請求項２に記載されたラジオコントロール送信機は、請求項１に記載のラジオコントロール送信機において、
前記第一のレバーと前記第二のレバーとは、互いの一部が嵌合した状態でネジ止め固定されることを特徴とする。
【００１６】
請求項３に記載されたラジオコントロール送信機は、請求項１または２に記載のラジオコントロール送信機において、
前記筐体には、交換可能なレバーの当接位置を調整する調整部材が設けられることを特徴とする。
【発明の効果】
【００１７】
本発明によれば、ネジを取り外すだけでトリガーの大小を簡単に交換でき、操縦者の指の太さに合ったレバーに付け替えることができる。その結果、レバーのパーツ交換だけで新しいサイズのトリガーを簡単に構成することができる。
【００１８】
また、トリガーは、分割されたレバーの一部を嵌合させた状態でネジ止め固定されるので、従来のスライド型やピボット型のトリガー調整機構と比較して、非常に剛性が高く、操縦者にとって使いやすい送信機を提供することができる。
【図面の簡単な説明】
【００１９】
【図１】本発明に係るラジオコントロール送信機の全体構成を示す側面図である。
【図２】本発明に係るラジオコントロール送信機の全体構成を示す斜視図である。
【図３】本発明に係るラジオコントロール送信機のブロック構成図である。
【図４】（ａ），（ｂ）本発明に係るラジオコントロール送信機の要部を示すトリガーの部分拡大断面図であり、レバー交換前後の状態の一例を示す図である。
【発明を実施するための形態】
【００２０】
以下、本発明を実施するための形態について、添付した図面を参照しながら詳細に説明する。
【００２１】
本発明に係るラジオコントロール送信機（以下、送信機という）は、例えば各種模型体（自動車、オートバイ、航空機、船舶など）や、クレーンなどの産業機械を被操縦体とし、予め決められた周波数帯（例えば２．４ＧＨｚ帯）を使用し、その周波数帯の中から空きバンドを自動的に選択する周波数ホッピング方式によって送信周波数を決定し、筐体に設けられるトリガーやスティックなどの操作部材の操作に応じた操縦信号（無線電波）を被操縦体に送信することにより被操縦体を遠隔操作するものである。
【００２２】
なお、本例では、送信機によって遠隔操作される被操縦体が模型自動車の場合を例にとって説明する。また、被操縦体の動力源としては、エンジンを用いることを想定して説明するが、モーターを動力源として用いることもできる。
【００２３】
［１．送信機の構成について］
送信機１は、図１および図２に示すように、グリップ部２、ベース部３、ヘッド部４を備えて大略構成され、各部の筐体は可撓性を有する熱可塑性樹脂（例えば汎用プラスチック）で形成されている。
【００２４】
＜１−１．グリップ部について＞
グリップ部２は、一端（下端）側がベース部３と一体をなし、他端（上端）側がヘッド部４と一体をなしており、外形がベース部３側からヘッド部４側に向かって細く楕円柱状に形成される。グリップ部２は、被操縦体を遠隔操作するときに操縦者が把持する把持部として機能する。
【００２５】
＜１−２．ベース部について＞
ベース部３は、グリップ部２の一端（下端）側に設けられ、矩形状に形成される。ベース部３は、グリップ部２を把持する手の下限位置を規制して手がグリップ部２から抜け落ちるのを防ぐとともに、送信機１を使用していないときに例えば地面などに立てて置く際の所定の設置面積を底面に有する脚部としても機能する。
【００２６】
また、ベース部３には、操縦者が両手を使ってホイール２１やトリガー２２を操作している際に操作するためのスイッチ機構１１が設けられている。図２では、このスイッチ機構１１を操縦者がグリップ部２を把持したときの操縦者側の端部に設けた例である。スイッチ機構１１は、両手操作中の操縦者が両手の指以外の身体の一部（例えば、胸、腹、肩、股、膝など）や近辺の物（例えば、競技場の手摺りなど）に送信機１を引き寄せてスイッチをオン・オフさせることにより、スイッチ機構１１に割り当てられた機能を働かせることができる。
【００２７】
スイッチ機構１１に割り当てる機能としては、例えばターボ機能のオン・オフ、ミキシング、ジャイロ操作、ラップ計測、急ブレーキ、カメラなど任意であるが、特に操縦者が両手操作中に並行して操作したい機能を割り当てておけば、緊急事態の際に咄嗟の判断でスイッチ機構１１を瞬時に操作でき、スイッチ機構１１に割り当てた機能を即座にオン・オフさせることができる。
【００２８】
＜１−３．ヘッド部について＞
ヘッド部４は、グリップ部２の他端（上端）側に設けられ、第一操作部材としてのホイール２１と、本発明の要部である第二操作部材としてのトリガー２２とを備えている。
【００２９】
ホイール２１は、被操縦体の進行方向を制御するためのステアリングとしての操作部材である。ホイール２１は、図１および図２に示すように、略円板形状の面の中心と軸心を一致させて、略円板状の面と垂直に送信機１のヘッド部４の方向に延在する回転軸によって支持される。ホイール２１は、所定の基準位置から左および右回りに回動して被操縦体の進行方向を制御するためのステアリングとして操作される。
【００３０】
トリガー２２は、被操縦体の動力源を制御し、被操縦体の移動速度を制御するための操作部材である。トリガー２２は、図１や図４に示すように、引き金形状をなし、第一のレバーとしてのスロットルレバー２２ａと、第二のレバーとしてのブレーキレバー２２ｂ１（２２ｂ２）とに分割された構成であり、図１や図４の矢印Ａおよび矢印Ｂの方向に回動可能にヘッド部４に取り付けられる。
【００３１】
トリガー２２は、図１や図４に示すように、スロットルレバー２２ａがヘッド部４の当接面４ａに当接する位置まで図１や図４の矢印Ａの方向に回動可能とされ、ブレーキレバー２２ｂ１（２２ｂ２）がヘッド部４の当接面４ｂに当接する位置まで矢印Ｂの方向に回動可能とされている。
【００３２】
スロットルレバー２２ａは、図４（ａ）又は図４（ｂ）に示す状態を初期位置とし、ヘッド部４に固定される回動軸２２ａａを中心として、グリップ部２の上端部分に近接してヘッド部４の裏側に回動自在に軸支されている。
【００３３】
スロットルレバー２２ａには、ブレーキレバー２２ｂ１（２２ｂ２）の基端部２２ｂａが嵌合する凹部２２ａｂが形成されている。また、スロットルレバー２２ａには、凹部２２ａｂに連通してネジ穴２２ａｃが形成されている。ネジ穴２２ａｃには、ブレーキレバー２２ｂ１（２２ｂ２）の基端部２２ｂａが凹部２２ａｂに嵌合された状態でブレーキレバー２２ｂ１（２２ｂ２）をスロットルレバー２２ａに固定するためのネジ３３がねじ込まれる。
【００３４】
ブレーキレバー２２ｂ１（２２ｂ２）は、操縦者の指の太さに応じた長さや形状のものが予め複数種類用意されている。例えば、ブレーキレバー２２ｂ２は、ブレーキレバー２２ｂ１よりも指の太い操縦者向けの形状となっている。さらに、図示していないが、指の触れる面にスポンジや発泡体などの緩衝体を設けて指を保護するような構成のブレーキレバーを用意しても良い。その他にも操縦者が操作しやすくなるような構成や形状のブレーキレバーを用意しても良い。また、ブレーキレバー２２ｂ１（２２ｂ２）の基端部２２ｂａには、スロットルレバー２２ａに固定する際に、ネジ３３の頭３３ａを収容して軸３３ｂが挿通される段付貫通穴２２ｂｂが形成されている。
【００３５】
スロットルレバー２２ａにブレーキレバー２２ｂ１（２２ｂ２）を固定する場合は、操縦者の指の太さに合わせてブレーキレバー２２ｂ１又は２２ｂ２を選択する。そして、図４（ａ）に示すように、ブレーキレバー２２ｂ１を選択した場合には、この選択したブレーキレバー２２ｂ１の基端部２２ｂａをスロットルレバー２２ａの凹部２２ａｂに嵌合し、ブレーキレバー２２ｂ１の段付貫通穴２２ｂｂにネジ３３を挿通し、ネジ３３の頭３３ａが段付貫通穴２２ｂｂの収容された状態でスロットルレバー２２ａのネジ穴２２ａｃにネジ３３の軸３３ｂをねじ込む。これにより、ブレーキレバー２２ｂ１は、スロットルレバー２２ａに剛性を持ってネジ止め固定される。
【００３６】
なお、図４（ｂ）に示すように、スロットルレバー２２ａにネジ止め固定されたブレーキレバー２２ｂ１を操縦者の指の太さに合わせてブレーキレバー２２ｂ２に交換する場合は、ネジ３３を緩めてブレーキレバー２２ｂ１をスロットルレバー２２ａから取り外し、新しいブレーキレバー２２ｂ２を上述した手順でスロットルレバー２２ａにネジ止め固定する。
【００３７】
ブレーキレバー２２ｂ１（２２ｂ２）を図４（ａ）や図４（ｂ）の矢印Ｂの方向に操作したときにブレーキレバー２２ｂ１（２２ｂ２）が当接するヘッド部４の当接面４ｂには、ブレーキレバー２２ｂ１（２２ｂ２）の当接位置を調整するための調整部材３４が設けられている。調整部材３４は、図４（ａ），（ｂ）の点線で示すように、ヘッド部４の当接面４ｂから出し入れされるネジで構成され、このネジの出し入れによりブレーキレバー２２ｂ１（２２ｂ２）の当接位置を調整することができる。なお、調整部材３４としてのネジが当接面４ｂから突出している場合には、ネジの頭の平坦面がブレーキレバー２２ｂ１（２２ｂ２）の当接面４ｂになる。
【００３８】
トリガー２２は、一般的にグリップ部２を把持した手の人指し指をスロットルレバー２２ａにかけて矢印Ａの方向に引いて操作され、ブレーキレバー２２ｂ１（２２ｂ２）をスロットルレバー２２ａにかけた指の背で押して矢印Ｂの方向に操作される。
【００３９】
トリガー２２は、スロットルレバー２２ａにかけている指を離すと、予め設定している初期位置（図４（ａ）又は図４（ｂ）に示す状態）に自動復帰するようになっている。この初期位置のことをニュートラル位置という。ニュートラル位置では、被操縦体のエンジンは回転しているが、クラッチが切れており、被操縦体は走行しない状態となっている。
【００４０】
なお、被操縦体の動力源がモーターである場合は、ニュートラル位置ではモーターは回転していない。
【００４１】
トリガー２２のスロットルレバー２２ａを図１や図４の矢印Ａの方向に引くことで被操縦体のエンジンのスロットルの制御を行い、被操縦体の移動速度を制御する。トリガー２２のスロットルレバー２２ａを矢印Ａの方向に操作するほど被操縦体は加速する。
【００４２】
また、トリガー２２のブレーキレバー２２ｂ１（２２ｂ２）を図１や図４の矢印Ｂの方向に操作することでブレーキの制御を行うようにすることができる。そして、トリガー２２のブレーキレバー２２ｂ１（２２ｂ２）を矢印Ｂの方向に操作するほど強力なブレーキとなる。
【００４３】
なお、送信機１の設定によっては、トリガー２２のブレーキレバー２２ｂ１（２２ｂ２）を図１や図４の矢印Ｂの方向に操作すると被操縦体を後進させるものもある。また、被操縦体の動力にモーターを用いた場合も、トリガー２２のスロットルレバー２２ａを図１や図４の矢印Ａの方向に操作すると被操縦体を加速させることができる。
【００４４】
さらに、送信機１には、ホイール２１とトリガー２２以外にも多数のボタンなどの操作部材が設けられている。これらの操作部材には、被操縦体の動作に関わる特殊な操作を割り当てることができる。
【００４５】
また、ヘッド部４には、表示部２３とアンテナ２４が設けられている。表示部２３は、操縦者がグリップ部２を把持したときに、操縦者が表示画面を見やすいように所定角度傾斜して設けられる。表示部２３は、送信機１の設定を表示するディスプレイであり、表示部２３の周辺に設けられる操作ボタンやスライドスイッチなどの設定用操作部材２５の操作により、表示の内容を切り替えたり、送信機１の設定を変更している。
【００４６】
アンテナ２４は、操縦者がグリップ部２を把持した状態で表示部２３の反対側に位置するヘッド部４の一端部分（すなわち、操縦者がグリップ部２を把持した状態におけるヘッド部４の当該操縦者と対向する側の端部と反対側に位置する端部）に回転自在に軸支されている。アンテナ２４は、被操縦体を遠隔操作するときに、ヘッド部４と一体に外形を形成する水平状態（図２の実線）から９０°回転して垂直方向に向いた起立状態（図２の一点鎖線）で使用される。アンテナ２４は、起立状態で使用することにより、被操縦体の遠隔操作時における指向性を高めることができる。
【００４７】
＜１−４．電気的構成について＞
さらに、ヘッド部４には、図３に示すように、上述した表示部２３、送信部２６、記憶部２７、制御部２８を含む電子回路部が内蔵されている。
【００４８】
なお、ベース部３には、電子回路部の各部（表示部２３、送信部２６、記憶部２７、制御部２８）に必要な駆動電力を供給するためのバッテリ２９が交換可能に設けられる。
【００４９】
送信部２６は、制御部２８により生成された送信データを変調・増幅し、この変調・増幅した操縦信号を、制御部２８の制御により、アンテナ２４を介して被操縦体に送信している。
【００５０】
記憶部２７は、設定用操作部材２５の操作に基づく各種設定情報を、制御部２８の制御により記憶している。また、記憶部２７には、送信機１を構成する各部の駆動制御を行うための制御プログラムが記憶されている。
【００５１】
制御部２８は、表示部２３、送信部２６、記憶部２７を統括制御しており、ホイール２１やトリガー２２の操作や設定に応じた送信データの生成、表示部２３の表示制御、送信部２６からアンテナ２４を介しての操縦信号の出力制御、記憶部２７に対する設定情報の保存、記憶部２７に記憶される制御プログラムに基づく送信機１の各部の駆動制御などを行っている。
【００５２】
＜１−５．送信機の作用と効果について＞
このように構成される送信機１では、操縦者が一方の手でグリップ部２を把持し、グリップ部２を把持した手の人指し指をトリガー２２にかけてトリガー２２の操作を行い、他方の手でホイール２１を掴んで操作を行う。そして、このトリガー２２とホイール２１の操作に応じた操縦信号を被操縦体に送信して被操縦体を遠隔操作する。
【００５３】
そして、本発明の送信機１によれば、トリガー２２をスロットルレバー２２ａとブレーキレバー２２ｂ１（２２ｂ２）に分割された構成とし、スロットルレバー２２ａがヘッド部４に回動自在に固定され、ネジ３３を用いてブレーキレバー２２ｂ１（２２ｂ２）をスロットルレバー２２ａにネジ止め固定している。これにより、ネジ３３を取り外すだけでブレーキレバー２２ｂ１（２２ｂ２）の大小を簡単に交換でき、操縦者の指の太さに合ったブレーキレバー２２ｂ１（２２ｂ２）に付け替えることができる。その結果、ブレーキレバー２２ｂ１（２２ｂ２）のパーツ交換だけで新しいサイズのトリガー２２を簡単に構成することができる。
【００５４】
また、トリガー２２は、スロットルレバー２２ａの凹部２２ａｂにブレーキレバー２２ｂ１（２２ｂ２）の基端部２２ｂａを嵌合した状態でネジ３３の締結によりブレーキレバー２２ｂ１（２２ｂ２）がスロットルレバー２２ａにしっかり固定されるので、従来のスライド型やピボット型のトリガー調整機構と比較して、非常に剛性が高く、操縦者にとって使いやすい送信機１を提供することができる。
【００５５】
＜１−６．送信機の他の実施の形態について＞
ところで、上述した実施の形態では、スロットルレバー２２ａを初期位置でヘッド部４に回動自在に固定し、スロットルレバー２２ａにブレーキレバー２２ｂ１（２２ｂ２）をネジ止め固定した構成について図示して説明したが、これらを逆転した構成としてもよい。すなわち、ブレーキレバー２２ｂ１（２２ｂ２）を初期位置でヘッド部４に回動自在に固定し、ブレーキレバー２２ｂ１（２２ｂ２）にスロットルレバー２２ａをネジ止め固定する。その際、スロットルレバー２２ａを図４の矢印Ａの方向に操作したときにスロットルレバー２２ａが当接するヘッド部４の当接面４ａには、スロットルレバー２２ａの当接位置を調整するためのネジからなる調整部材が設けられる。この調整部材としてのネジは、図４に示される当接面４ａに対して垂直方向に出し入れされる。この調整部材としてのネジを当接面４ａから出し入れすれば、スロットルレバー２２ａの当接位置を調整することができる。なお、調整部材としてのネジが当接面４ａから突出している場合には、ネジの頭の平坦面がスロットルレバー２２ａの当接面４ａとなる。
【００５６】
また、上述した送信機１におけるトリガー２２は、スロットルレバー２２ａとブレーキレバー２２ｂ１（２２ｂ２）に分割され、一方のレバーがヘッド部４に回動自在に固定され、他方のレバーが一方のレバーにネジ止め固定された構成であればよく、レバーの形状を図示以外の形状としてもよい。例えば図４に示すトリガー２２のスロットルレバー２２ａの先端とブレーキレバー２２ｂ１（２２ｂ２）の先端とを接合し、トリガー２２を全体としてリング状の形状とし、矢印Ａ、矢印Ｂの方向に操作できるようにしてもよい。
【００５７】
以上、本発明に係る送信機の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５８】
１  送信機（ラジオコントロール送信機）
２  グリップ部
３  ベース部
４  ヘッド部
４ａ，４ｂ  当接面
２１  ホイール（第一の操作部材）
２２  トリガー（第二の操作部材）
２２ａ  スロットルレバー（第一のレバー）
２２ａａ  回動軸
２２ａｂ  凹部
２２ａｃ  ネジ穴
２２ｂ１，２２ｂ２  ブレーキレバー（第二のレバー）
２２ｂａ  基端部
２２ｂｂ  段付貫通穴
３３  ネジ
３４  調整部材（ネジ）
【図１】
2015213658.tif 000003
【図２】
2015213658.tif 000004
【図３】
2015213658.tif 000005
【図４】
2015213658.tif 000006